(57)【要約】    【課題】  料金精算時に利用者の入力した駐車位置番号に対応する駐車区画の画像を表示することにより、精算対象の駐車区画状況をビジュアル的に確認させることで、誤精算を防止する。    【解決手段】  各駐車区画に設けた車室管理端末機にカメラと録画装置を設け、中央精算機Ｂの前面部に、録画画像を表示する画像表示部２０を設け、料金精算時に、中央精算機Ｂの駐車番号入力部１３で、利用者が駐車位置番号を入力したときに、入力した駐車位置番号に対応する駐車区画の録画画像を画像表示部２０に表示し、利用者が表示画像を確認して精算ボタン１４を操作すると精算処理を開始する構成とした。【選択図】  図４
2006039699.tif 000002
【特許請求の範囲】
【請求項１】
各駐車区画に設置されて駐車区画に対する車両の入出庫を管理する車室管理端末機と、前記各駐車区画毎に予め定めた駐車位置番号が入力されると、当該駐車位置番号に対応する駐車区画の前記車室管理端末機の管理情報に基づいて駐車料金を計算し、駐車料金が精算されると前記車室管理端末機に精算完了を通知する中央精算機とを備える駐車場における駐車位置を確認するための駐車位置確認システムであって、
前記各駐車区画内の駐車車両を識別する識別情報を撮像する撮像手段と、
前記中央精算機に設けられ前記撮像手段で撮像した前記識別情報を視認可能に表示する表示手段と、
を備え、
前記中央精算機は、前記駐車位置番号が入力されると当該駐車位置番号に対応する駐車区画の駐車車両の前記識別情報を前記表示手段に表示し、利用者の車両確認操作に基づいて料金精算処理を開始する構成としたことを特徴とする駐車場の駐車位置確認システム。
【請求項２】
前記駐車位置番号が入力されたときに前記撮像手段を駆動して前記識別情報を撮像し、該撮像した前記識別情報を前記表示手段に表示する構成とした請求項１に記載の駐車場の駐車位置確認システム。
【請求項３】
前記撮像手段で撮像した前記識別情報を記録する情報記録手段を設け、該情報記録手段に予め記録した前記識別情報を、前記駐車位置番号が入力されたときに前記表示手段に表示する構成とした請求項１に記載の駐車場の駐車位置確認システム。
【請求項４】
前記撮像手段を、前記各駐車区画にそれぞれ設置する構成とした請求項１〜３のいずれか１つに記載の駐車場の駐車位置確認システム。
【請求項５】
前記撮像手段を、１台で複数の前記駐車区画が撮像可能に設置する構成とした請求項１〜３のいずれか１つに記載の駐車場の駐車位置確認システム。
【請求項６】
撮像時に撮像対象の駐車区画方向に前記撮像手段を駆動する構成とした請求項５に記載の駐車場の駐車位置確認システム。
【請求項７】
各撮像手段で撮像した各駐車区画の前記識別情報を、各駐車区画の駐車位置番号と対応付けて１つの前記情報記録手段に記録する構成とした請求項３〜６のいずれか１つに記載の駐車場の駐車位置確認システム。
【請求項８】
前記識別情報は、駐車車両画像である請求項１〜７のいずれか１つに記載の駐車場の駐車位置確認システム。
【発明の詳細な説明】
【技術分野】
【０００１】
本発明は、各駐車区画に車室管理端末機を設置して車両の入出庫を各駐車区画毎に個別に管理し、各駐車区画の駐車料金を中央精算機で集中精算する駐車場における駐車位置確認システムに関し、特に、料金精算時に精算対象の車両位置を目視で確認できるようにした駐車場の駐車位置確認システムに関する。
【背景技術】
【０００２】
従来のこの種の駐車場は、各駐車区画に設ける車室管理端末機と、例えば駐車場出口等に設けて駐車料金を集中精算する中央精算機とを備えて構成される。かかる駐車場の駐車管理システムについて説明すると、各車室管理端末機により、個々の駐車区画に入庫した車両を検知し駐車料金が精算されるまで駐車車両の出庫を阻止して各駐車区画における車両の入出庫を管理し、料金精算時には、車両を駐車した駐車区間に対して予め定められている駐車位置番号を利用者が中央精算機に入力する。これにより、中央精算機は、入力された駐車位置番号の車室管理端末機の管理情報に基づいて駐車料金を計算し、駐車料金が精算されると車室管理端末機に精算完了信号を送信する。精算完了信号を受信した車室管理端末機は、出庫阻止状態を解除して駐車車両の出庫を可能にする（例えば、特許文献１参照）。
【特許文献１】特開２００２−７４４２８号公報
【発明の開示】
【発明が解決しようとする課題】
【０００３】
しかしながら、従来のこの種の駐車管理システムでは、料金精算時に駐車位置番号を間違えて入力し精算してしまった場合、精算者が出庫させたい車両は出庫阻止状態のままであり精算したにも拘わらず出庫できない。このような場合、従来では、係員を呼び出して中央精算機の精算処理を修正してもらい精算したい駐車区画を精算済みとしてもらうか、或いは、管理センタへ電話して係員の遠隔操作により精算したい駐車区画の車室管理端末機の出庫阻止状態を解除してもらう必要があった。また、最悪の場合は、再度駐車料金を支払って再精算しなければならなかった。
【０００４】
本発明は上記問題点に着目してなされたもので、料金精算時に入力された駐車位置番号に対応する駐車区画内の駐車車両の識別画像を表示することにより、駐車位置番号の入力間違いによる誤精算を防止するようにした駐車場の駐車位置確認システムを提供することを目的とする。
【課題を解決するための手段】
【０００５】
このため、請求項１の発明では、各駐車区画に設置されて駐車区画に対する車両の入出庫を管理する車室管理端末機と、前記各駐車区画毎に予め定めた駐車位置番号が入力されると、当該駐車位置番号に対応する駐車区画の前記車室管理端末機の管理情報に基づいて駐車料金を計算し、駐車料金が精算されると前記車室管理端末機に精算完了を通知する中央精算機とを備える駐車場における駐車位置を確認するための駐車位置確認システムであって、前記各駐車区画内の駐車車両を識別する識別情報を撮像する撮像手段と、前記中央精算機に設けられ前記撮像手段で撮像した前記識別情報を視認可能に表示する表示手段と、を備え、前記中央精算機は、前記駐車位置番号が入力されると当該駐車位置番号に対応する駐車区画の駐車車両の前記識別情報を前記表示手段に表示し、利用者の車両確認操作に基づいて料金精算処理を開始する構成とした。
【０００６】
かかる構成では、撮像手段で駐車区画に駐車した車両の識別情報を撮像する。駐車料金精算時に、中央精算機において利用者が駐車位置番号を入力すると、中央精算機は、入力された駐車位置番号に対応する駐車区画の駐車車両の撮像された識別情報を表示手段に表示する。利用者は、表示された識別情報に基づいて自分の車両であることを目視で確認すると車両確認操作を行う。中央精算機は、利用者による車両確認操作に基づいて料金精算処理を開始する。
【０００７】
請求項２のように、前記駐車位置番号が入力されたときに前記撮像手段を駆動して前記識別情報を撮像し、該撮像した前記識別情報を前記表示手段に表示する構成としてもよく、請求項３のように、前記撮像手段で撮像した前記識別情報を記録する情報記録手段を設け、該情報記録手段に予め記録した前記識別情報を、前記駐車位置番号が入力されたときに前記表示手段に表示する構成としてもよい。
【０００８】
前記撮像手段は、請求項４のように、前記各駐車区画にそれぞれ設置する構成とするとよい。
また、前記撮像手段は、請求項５のように、１台で複数の前記駐車区画が撮像可能に設置するようにしてもよい。この場合、請求項６のように、撮像時に撮像対象の駐車区画方向に前記撮像手段を駆動する構成とするとよい。
【０００９】
請求項７のように、各撮像手段で撮像した各駐車区画の前記識別情報を、各駐車区画の駐車位置番号と対応付けて１つの前記情報記録手段に記録する構成とするとよい。
請求項８のように、前記識別情報は、駐車車両画像とするとよい。
【発明の効果】
【００１０】
以上説明したように本発明の駐車位置確認システムによれば、駐車料金精算時に、入力した駐車位置番号に対応する駐車区画の駐車車両が自分の車両か否かを確認できるので、駐車位置番号の入力間違いを目視で確認でき、他人の駐車位置と間違えて駐車料金を誤精算することを防止できる。また、駐車車両の識別情報を画像で表示することにより、各駐車区画の状況が監視されていることを利用者に認識させることができ、精算せずに出庫する等の不正利用を抑制する効果がある。
【発明を実施するための最良の形態】
【００１１】
以下、本発明の実施形態を図面に基づいて説明する。
図１は、本発明に係る駐車場の駐車位置確認システムの第１実施形態の概略図である。
図１において、本実施形態の駐車位置確認システムは、駐車場内の複数の各駐車区画に対する車両の入出庫を管理する各車室管理端末機Ａ１〜Ａｎと、該車室管理端末機Ａ１〜Ａｎの各管理情報に基づいて各駐車区画の駐車料金を集中精算する中央精算機Ｂと、を備えて構成される。
【００１２】
車室管理端末機Ａ１〜Ａｎは、各駐車区画毎に設けられ、図２に示すように、時計ユニット１と、車両検知センサ２と、退出阻止装置３と、状態表示部４と、撮像手段としてのカメラ５と、情報記録手段としての録画装置６と、データ通信部７と、制御部８と、を含んで構成されている。
【００１３】
前記時計ユニット１は、現在時刻を計時するものである。前記車両検知センサ２は、駐車区画内に入庫した車両を検知するもので、例えば金属センサを駐車区画内に埋設して構成する。前記退出阻止装置３は、駐車区画内に入庫した車両が移動できないように固定するもので、車両の不正出庫を防止するロック板と該ロック板を駆動させるモーターとを有して成る。前記状態表示部４は、駐車料金が精算済みか或いは未精算か等の駐車情報を表示するもので、該駐車情報を表示するためのＬＥＤ等を備えて成る。前記カメラ５は、駐車区画の駐車車両の識別情報を撮像するもので、識別情報として例えば駐車車両を撮像する。前記録画装置６は、カメラ５の撮像画像を録画するものである。尚、車番認識機能を組込み、撮像画像から車両番号を抽出して識別情報として車両番号を併せて記録するようにしてもよい。前記データ通信部７は、中央精算機Ｂとの間で情報を送受信するものである。前記制御部８は、退出阻止装置３、状態表示部４、カメラ５、録画装置６及びデータ通信部７の動作を統括的に制御するもので、例えばマイクロコンピュータ等で構成される。
尚、図２は車室管理端末機Ａ１の構成を示すが、他の車室管理端末機Ａ２〜Ａｎも同様の構成であるので、ここでは説明を省略する。
【００１４】
中央精算機Ｂは、各駐車区画の車室管理端末機Ａ１〜Ａｎの管理情報に基づいて車両の駐車料金を計算し、駐車料金が精算されると車室管理端末機Ａ１〜Ａｎに精算完了を通知するもので、図３に示すように、時計ユニット１１と、カードリーダライタ１２と、駐車位置番号入力部１３と、精算ボタン１４と、確認ボタン１５と、訂正ボタン１６と、金銭処理ユニット１７と、音声案内ユニット１８と、プリンタ１９と、表示手段としての画像表示部２０と、データ通信部２１と、制御部２２と、を含んで構成されている。
【００１５】
前記時計ユニット１１は、現在時刻を計時するものである。前記カードリーダライタ１２は、例えばサービス券やプリペイドカード、定期券等により駐車料金の精算を行う場合に、図４に示すように中央精算機Ｂの前面に設けられるカード挿入口１２ａから挿入される上記サービス券に記録された割引情報やプリペイドカード、定期券等に記録された残高情報等を読み取ると共に該サービス券やプリペイドカード、定期券等に精算情報等を書き込むものである。駐車位置番号入力部１３は、料金精算時に精算対象の駐車区画を示す予め定めた駐車位置番号を入力するもので、例えばテンキーで構成し図４に示すように中央精算機Ｂの前面に設けられる。
【００１６】
前記精算ボタン１４は、前記画像表示部２０の表示画像に基づいて自分の車両であることを確認したときに利用者が操作するもので、操作されると中央精算機Ｂは精算処理を開始する。確認ボタン１５は、駐車位置番号の入力終了を中央精算機Ｂに認識させるために利用者が操作するものである。訂正ボタン１６は、駐車位置番号等の入力操作を利用者が訂正する場合に操作するものである。これら精算ボタン１４、確認ボタン１５及び訂正ボタン１６は、図４に示すように中央精算機Ｂの前面に設けられる。
【００１７】
前記金銭処理ユニット１７は、料金精算時に図４に示す紙幣投入部１７ａ及び硬貨投入部１７ｂから投入された紙幣や硬貨を受け付けて計数処理するものである。前記音声案内ユニット１８は、中央精算機Ｂの操作手順等を利用者に案内するもので、スピーカー等の音声発生機器を有して成る。プリンタ１９は、図示しない領収書発行ボタンの操作により領収書を印字し、図４に示す領収書発行口１９ａから発行するものである。
【００１８】
画像表示部２０は、入力された駐車位置番号に対応する駐車区画の駐車車両を利用者が確認するための識別情報を表示するもので、図４に示すように中央精算機Ｂの前面に設けられて録画装置６に記録された識別情報の車両画像を表示する。また、画像表示部２０は、図５に示すように、前記画像を表示する画像表示画面２０ａと、入力された駐車位置番号を表示する駐車位置番号表示部２０ｂと、現在時刻を表示する現在時刻表示部２０ｃと、駐車位置番号表示部２０ｂで表示する駐車区画の車両入庫時刻を表示する入庫時刻表示部２０ｄと、計算した駐車料金を表示する駐車料金表示部２０ｅと、利用者が投入した金額を表示する投入料金表示部２０ｆとが設けられている。尚、前述したように、識別情報として車両番号が記録されている場合は、画像表示画面２０ａに車両番号を併せて表示するか、或いは、車両番号表示部を別途設けて表示する構成とするとよい。
【００１９】
データ通信部２１は、前記各車室管理端末機Ａ１〜Ａｎとの間で各種情報を送受信するものである。制御部２２は、カードリーダライタ１２、金銭処理ユニット１７、音声案内ユニット１８、プリンタ１９、画像表示部２０及びデータ通信部２１の動作を統括的に制御するもので、例えばマイクロコンピュータ等で構成される。
尚、中央精算機Ｂには、図示しないが駐車料金の精算操作を途中で中止したい場合に操作する精算取消ボタン等も従来と同様に設けられる。
【００２０】
次に、第１実施形態の中央精算機Ｂの精算処理動作及び各車室管理端末機Ａ１〜Ａｎの入出庫管理動作を説明する。尚、各車室管理端末機Ａ１〜Ａｎの動作は同じであるので、以下は車室管理端末機Ａ１を例に説明する。
【００２１】
まず、車両入出庫時の車室管理端末機Ａ１の動作について図６のフローチャートを参照して説明する。
ステップ１（図中Ｓ１で示し、以下同様とする）では、車両検知センサ２の出力状態を監視し車両を検知したか否かを判定する。車室管理端末機Ａ１が設置された駐車区画内に車両が入庫し車両検知センサ２がこれを検知すると、判定がＹＥＳとなり、ステップ２に進む。
ステップ２では、入庫監視用タイマーにより車両検知からの時間を計時し、所定時間が経過すると駐車とみなし、退出阻止装置３のロック板を上昇して車両の出庫を阻止する。この際、そのときの時計ユニット１の時刻を入庫時刻として記憶する。また、状態表示部４のＬＥＤを点灯し未精算表示する。
ステップ３では、カメラ５と録画装置６を駆動して駐車した車両の画像を撮像し、録画装置６に車両画像を記録する。この際に、記録画像に対応付けて入庫時刻も記録する。
【００２２】
ステップ４では、後述するように中央精算機Ｂの料金精算処理時に中央精算機Ｂから発せられる入庫時刻の送信要求があった否かを判定し、あればステップ５に進み、記録した入庫時刻を送信する。送信要求がなければ後述のステップ１２に進む。
ステップ６では、中央精算機Ｂの料金精算処理時に中央精算機Ｂから発せられる録画画像の送信要求があった否かを判定し、あればステップ７に進み、録画画像を送信する。送信要求がなければステップ１２に進む。
ステップ８では、中央精算機Ｂからの精算完了信号を受信したか否かを判定し、受信すればステップ９に進み、受信しなければステップ１２に進む。
ステップ９では、退出阻止装置３のロック板を下降して車両の出庫阻止状態を解除し、車両の出庫を可能な状態にする。
ステップ１０では、車両検知センサ２の出力状態を監視し車両が退出したか否かを判定し、退出すれば判定がＹＥＳとなり、ステップ１１に進み、録画画像を消去し、次の駐車に備える。
【００２３】
また、ステップ４、６、８でＮＯと判定されたときは、ステップ１２で、車両検知センサ２の出力状態を監視し車両が退出したか否かを判定し、判定がＮＯの場合は、ステップ４に戻る。車両が退出すれば、ステップ１３でロック板を下降し、次の駐車に備える。尚、ステップ1２で、判定がＹＥＳとなった場合は不正出庫であり、例えば、特開２００２−９２６６７号公報に開示された駐車場不正脱出記録システムを併用する構成の場合、ステップ１２の判定がＹＥＳとなったときには不正出庫と判断し、カメラ５及び録画装置６を駆動して不正出庫車両を撮影し録画する。この際に、入庫時刻、脱出時刻及び駐車料金を併せて記録する。その後、ステップ１３に進みロック板を下降する。
【００２４】
次に、車室管理端末機Ａ１が設置された駐車区画に駐車した車両の駐車料金を精算する場合の中央精算機Ｂの動作について図７及び図８のフローチャートを参照して説明する。
ステップ２１では、利用者が駐車位置番号入力部１３の操作により駐車位置番号を入力したか否かを判定し、駐車位置番号が入力されれば、ステップ２２に進む。
ステップ２２では、確認ボタン１５が操作されたか否かを判定し、操作された場合は駐車位置番号入力終了と判断してステップ２４に進む。確認ボタン１５が操作されず訂正ボタン１６が操作された場合は、ステップ２２の判定がＮＯ、ステップ２３の判定がＹＥＳとなり、ステップ２１に戻る。
【００２５】
ステップ２４では、車室管理端末機Ａ１に対して入庫時刻の送信を要求する。
ステップ２５で、入庫時刻情報を受信したか否かを判定し、入庫時刻情報を受信すると、ステップ２６に進む。
ステップ２６では、録画画像の送信を要求する。
ステップ２７では、録画画像を受信したか否かを判定し、録画画像を受信すると、ステップ２８に進む。
ステップ２８では、受信した録画画像を画像表示部２０に表示する。この際、画像表示部２０に、図５に示すように、駐車位置番号、現在時刻、入庫時刻も表示する。
【００２６】
ステップ２９では、精算ボタン１４が操作されたか否かを判定し、利用者が表示画像を目視で確認して自分の車両であることを確認し精算ボタン１４が操作されれば図８のステップ３１に進み、精算処理を開始する。精算ボタン１４が操作されず訂正ボタン１６が操作された場合は、ステップ２９の判定がＮＯ，ステップ３０の判定がＹＥＳとなり、ステップ２１に戻る。この際、音声により駐車位置番号の再入力を促す案内を行うようにするとよい。
ステップ３１では、受信した入庫時刻と現在時刻とから駐車時間を計算し、駐車時間に基づいて駐車料金を算出する。
【００２７】
ステップ３２では、ステップ３１で計算した駐車時間がサービス時間内か否かを判定し、サービス時間内であればステップ３３に進み、「駐車料金なし」の音声案内を行い、ステップ３７へ進む。一方、駐車時間がサービス時間を超過している場合は、ステップ３４に進み、ステップ３１で算出した駐車料金を画像表示部２０の駐車料金表示部２０ｅに表示し、ステップ３５で、駐車料金が「有料」であることを音声案内し、ステップ３６で、駐車料金が精算されたか否かを判定する。駐車料金が精算されれば、ステップ３７に進む。
ステップ３７では、車室管理端末機Ａ１に精算完了信号を送信し、ステップ３８で、「精算完了」の音声案内を行い、利用者に精算処理が終了したことを知らせて精算処理動作を終了する。
【００２８】
尚、利用者が、車両が駐車していない駐車区画に該当する駐車位置番号を誤入力し、確認ボタン１５を操作した場合は、ステップ２５の判定がＮＯとなり、ステップ３９に進み、「精算不可」を音声案内し、精算処理動作を終了する。
【００２９】
かかる第１実施形態によれば、料金精算前に、利用者が入力した駐車位置番号の駐車区画の駐車車両が精算しようとする利用者自身の車両か否かを画面で確認できるので、駐車位置番号の入力間違いによる誤精算を防止できるようになる。また、駐車区画の車両画像を表示することにより、駐車区画を監視していることを利用者に認識させることができ、不正出庫を抑制する効果もある。
【００３０】
次に、本発明の第２実施形態について説明する。
本実施形態は、カメラ５及び録画装置６を、複数の駐車区画で共用する構成である。
この場合、図９に示すように、中央精算機Ｂに、カメラ５及び録画装置６を接続し、中央精算機Ｂが、カメラ５及び録画装置６の駆動制御機能を有する構成とする。尚、第１実施形態と同一要素には同一符号を付してある。
【００３１】
第２実施形態の中央精算機Ｂの精算処理動作及び各車室管理端末機Ａ１〜Ａｎの入出庫管理動作を説明する。
まず、車両入出庫時の車室管理端末機Ａ１の動作について図１０のフローチャートを参照して説明する。
ステップ４１，４２で、図６のステップ１，２と同様にして、車両を検知し、ロック板を上昇すると、ステップ４３に進む。
ステップ４３では、入庫時刻、駐車位置番号を入庫情報として中央精算機Ｂに送信する。その後は、ステップ４４〜４９において、図６のステップ８〜１３と同様の動作を実行する。ただし、図６の第１実施形態では、精算完了信号を受信してロック板を下降させた後のステップ１１では、録画画像の消去動作を行うが、第２実施形態では、ロック板下降後のステップ４７では、出庫したことを示す出庫情報（駐車位置番号を含む）を中央精算機Ｂに送信する。その他のステップ４４〜４６、４８、４９の動作は、図６のステップ８〜１０、１２、１３と同じである。尚、ステップ４８で、判定がＹＥＳとなった場合は不正出庫であり、例えば、特開２００２−９２６６７号公報に開示された駐車場不正脱出記録システムを併用する構成の場合、ステップ４８の判定がＹＥＳとなったときには不正出庫と判断し、不正出庫情報を中央精算機Ｂに送信した後、ステップ４９に進みロック板を下降する。不正出庫情報を受信した中央精算機Ｂでは、カメラ５及び録画装置６を駆動制御して不正出庫情報を送信した車室管理端末機の設置された駐車区画を撮影し録画する。
【００３２】
次に、中央精算機Ｂの動作について図１１及び図１２のフローチャートを参照して説明する。
ステップ５１では、入庫情報を受信したか否可を判定し、受信すればステップ５２に進む。
ステップ５２では、カメラ５及び録画装置６を駆動制御して受信した入庫情報の駐車区画の車両を撮影し録画する。この場合、撮影対象の駐車区画が撮影できるようにカメラ５を旋回及びズーム調整して撮影する。カメラ５の旋回位置及び焦点距離の各データは、各駐車区画の車両撮影用として中央精算機Ｂの制御部２２に予め記憶されている。また、録画装置６には、録画画像と共に入庫時刻、駐車位置番号等の情報も記録する。
ステップ５３〜５５の動作は第１実施形態のステップ２１〜２３と同様である。ステップ５４の判定がＹＥＳになるとステップ５６に進む。
ステップ５６では、入力された駐車位置番号に対応する録画画像があるか否かを判定し、あればステップ５７に進む。
【００３３】
ステップ５７〜６７の動作は、第１実施形態のステップ２８〜３８の動作と同様である。
そして、「精算完了」を音声案内した後のステップ６８では、車室管理端末機Ａ１から出庫情報を受信したか否かを判定し、受信すればステップ６９に進む。
ステップ６９では、録画画像を消去する。
尚、利用者が、車両が駐車していない駐車区画に該当する駐車位置番号を誤入力し、確認ボタン１５を操作した場合は、ステップ５６の判定がＮＯとなり、ステップ７０に進み、「精算不可」を音声案内し、精算処理動作を終了する。
【００３４】
かかる第２実施形態によれば、カメラ５及び録画装置６を複数の駐車区画で共用するので、各駐車区画にカメラ５及び録画装置６を設置する場合に比べてこれらの設置数を削減でき、設備コストを低減できる。
【００３５】
本発明の第３実施形態として、図１３に示すように、各車室管理端末機Ａ１〜Ａｎ側にカメラ５を設置して各車室管理端末機Ａ１〜Ａｎの制御部８で駆動制御するようにし、録画装置６は複数の車室管理端末機Ａ１〜Ａｎで共用するようにして中央精算機Ｂの制御部２２で駆動制御する構成としてもよい。この場合、各車室管理端末機Ａ１〜Ａｎ側に、カメラ５を録画装置６に接続する接続スイッチ３１を設け、該接続スイッチ３１を制御部８で制御するようにする。
かかる第３実施形態の車室管理端末機Ａ１〜Ａｎと中央精算機Ｂの動作は、図１０に示す管理端末機側の動作において、ステップ４３の入庫情報送信動作と同時にスイッチ３１の接続動作が行われることを除いて、図１０〜図１２に示す第２実施形態の動作と同様である。
【００３６】
上述した第１〜第３実施形態では、録画装置６を設けて録画画像を料金精算時に表示させる構成としたが、録画装置６を省略し、料金精算時にカメラ５を駆動し、料金精算時の駐車区画の状態をリアルタイムで表示するようにしてもよい。
【００３７】
例えば、第１及び第３実施形態のようにカメラ５を各駐車区画に設置する構成とした場合は、各カメラ５と中央精算機Ｂ側とを直接接続するための接続スイッチを各車室管理端末機Ａ１〜Ａｎ側に設ける。そして、例えば、料金精算時に、中央精算機Ｂからの入庫時刻送信要求を受信したときに、入庫時刻情報を送信すると同時に、接続スイッチとカメラ５を駆動しカメラ５の映像を中央精算機Ｂ側に伝送する。中央精算機Ｂは、伝送された映像を画像表示部２０に表示する。これにより、料金精算時の駐車区画の映像がリアルタイムで画像表示部２０に表示され、利用者は、料金精算時点における実際の駐車区画の状況を確認できる。
【００３８】
また、第２実施形態のようにカメラ５を複数の駐車区画で共用する構成の場合は、図７のフローチャートにおいて、確認ボタン１５が操作されたときに、入力された駐車位置番号に対応する駐車区画を撮影するようにカメラ５を旋回及びズーム調整して撮影すればよい。
【００３９】
尚、画像表示部２０の画像表示形態としては、録画した車両画像を直接表示してもよく、また、車番認識機能を用いて車両番号を識別情報として文字表示してもよく、車両画像と車両番号の両方を表示するようにしてもよい。また、カメラ５を複数の駐車区画で共用する場合に、複数の駐車区画を表示し、利用者が確認し易いように精算対象の駐車区画画像だけを枠表示させるようにしてもよく、また、枠表示させた画像を拡大表示するようにしてもよい。
【図面の簡単な説明】
【００４０】
【図１】本発明に係る駐車位置確認システムの第１実施形態を示す概略図
【図２】第１実施形態の車室管理端末機の構成図
【図３】第１実施形態の中央精算機の構成図
【図４】中央精算機の前面部の要部構成図
【図５】画像表示部の構成図
【図６】第１実施形態の車室管理端末機の動作を説明するフローチャート
【図７】中央精算機の動作を説明するフローチャート
【図８】図７に続くフローチャート
【図９】本発明に係る駐車位置確認システムの第２実施形態の中央精算機の構成図
【図１０】第２実施形態の車室管理端末機の動作を説明するフローチャート
【図１１】中央精算機の動作を説明するフローチャート
【図１２】図１１に続くフローチャート
【図１３】本発明に係る駐車位置確認システムの第３実施形態を示す概略図
【符号の説明】
【００４１】
１、１１    時計ユニット
２    車両検知センサ
３    退出阻止装置
５    カメラ
６    録画装置
７、２１    データ通信部
８、２２    制御部
１３    駐車位置番号入力部
１４    精算ボタン
１７    金銭処理ユニット
２０    画像表示部
３１    接続スイッチ
Ａ１〜Ａｎ    車室管理端末機
Ｂ    中央精算機
【図１】
2006039699.tif 000003
【図２】
2006039699.tif 000004
【図３】
2006039699.tif 000005
【図４】
2006039699.tif 000006
【図５】
2006039699.tif 000007
【図６】
2006039699.tif 000008
【図７】
2006039699.tif 000009
【図８】
2006039699.tif 000010
【図９】
2006039699.tif 000011
【図１０】
2006039699.tif 000012
【図１１】
2006039699.tif 000013
【図１２】
2006039699.tif 000014
【図１３】
2006039699.tif 000015